(57)【要約】【課題】  開始位置及び移動方向により定義される入力方法、コントロールモジュール及びその電子製品を提供する。【解決手段】  主に該タッチスクリーンにおける第一回接触位置を開始位置とし、該第一回接触時に計測された開始位置を異なる移動方向のジェスチャーに対応させ、コントロールモジュール中において対比に供することができるパラメーター資料集を定義し、タッチスクリーン上に符合するジェスチャーが生じていないかどうかをディテクトし、接触開始位置及び対応する移動方向による移動のジェスチャーを符合させ、それとコントロールモジュール中に定義するパラメーター資料集とを比較し、比較結果をサーバに出力する。【選択図】図6
2005316745.tif 000002
【特許請求の範囲】
【請求項１】
主に開始位置及び移動方向により定義される入力方法で、コントロールモジュールによりタッチスクリーン上の異なるジェスチャーを識別し、以って異なるジェスチャーが生じる異なるコントロール信号をサーバに後続のコントロール機能の使用のために供し、該入力方法は以下のステップを含み、
A)該タッチスクリーンにおける第一回接触位置を開始位置と設定し、該開始位置は各異なる移動方向のジェスチャーに対応し、該コントロールモジュール中において対比可能なパラメーター資料集を定義し、
B)該タッチスクリーン上においてステップA)に符合するジェスチャーがあるか否かをディテクトし、
C)該開始位置及び相互に対応する移動方向に符合する移動のジェスチャーと該コントロールモジュール中に定義する該パラメーター資料集を相互に比較し、該比較結果を該サーバに出力することを特徴とする開始位置及び移動方向により定義される入力方法。
【請求項２】
前記ステップは前記開始位置を基準とし、かつ第一移動方向と第二移動方向はそれぞれ軸方向に沿って相対する方向に延伸し、前記コントロールモジュール中において前記開始位置と該第一移動方向及び該第二移動方向に沿ったジェスチャーが相互に対応するパラメーター資料集を定義することを特徴とする請求項１記載の開始位置及び移動方向により定義される入力方法。
【請求項３】
前記開始位置及び移動方向定義の入力方法は前記開始位置を基準とし、さらに第三移動方向と第四移動方向を対応し、しかも該第三移動方向と該第四移動方向はそれぞれ軸方向に対して垂直な相対する方向に延伸し、前記コントロールモジュールにおいて定義する
前記開始位置と該第三移動方向及び該第四移動方向に沿ってジェスチャーが相互に対応するパラメーター資料集を定義することを特徴とする請求項２記載の開始位置及び移動方向により定義される入力方法。
【請求項４】
前記開始位置を原点とし、前記第一移動方向は前記開始位置に沿って右方向に延伸し、前記第二移動方向は前記開始位置に沿って左方向に延伸し、前記第三移動方向は前記開始位置の上方に延伸し、及び前記第四移動方向は前記開始位置の下方に延伸することを特徴とする請求項３記載の開始位置及び移動方向により定義される入力方法。
【請求項５】
前記開始位置を基準とし、前記第一移動方向、前記第二移動方向、前記第三移動方向及び前記第四移動方向を対応させる他に、さらに第五移動方向、第六移動方向、第七移動方向及び第八移動方向を対応させ、該第五移動方向は前記第一移動方向及び前記第三移動方向間に介在し、該第六移動方向は前記第一移動方向及び前記第四移動方向間に介在し、該第七移動方向は前記第二移動方向及び前記第四移動方向間に介在し、かつ該第八移動方向は前記第二移動方向及び前記第三移動方向間に介在することを特徴とする請求項３記載の開始位置及び移動方向により定義される入力方法。
【請求項６】
前記開始位置を基準とし、前記第一移動方向、前記第二移動方向、前記第三移動方向、前記第四移動方向、前記第五移動方向、前記第六移動方向、前記第七移動方向及び前記第八移動方向の任意の相互に隣り合う二つの移動方向の夾角は30度〜45度間の任一の角度であることを特徴とする請求項５記載の開始位置及び移動方向により定義される入力方法。
【請求項７】
前記ステップA)は前記開始位置を基準として設定し、しかも前記第九移動方向及び前記第十移動方向を対応させ、前記第九移動方向は時計回りで、前記第十移動方向は逆時計回りで、前記コントロールモジュール中において前記開始位置と前記第一移動方向及び前記第二移動方向に沿ったジェスチャーが相互に対応するパラメーター資料集を定義することを特徴とする請求項２記載の開始位置及び移動方向により定義される入力方法。
【請求項８】
主にタッチスクリーン及び一サーバに電気的に接続するコントロールモジュールで、該タッチスクリーン上おいて開始位置に対応するそれぞれ異なる移動方向のジェスチャーを識別し、その生じる異なるコントロール信号を該サーバのコントロール使用に供し、該コントロールモジュールは座標処理ユニット、パラメーター記憶ユニット、演算ユニット、伝送インターフェースを含み、
該座標処理ユニットは該タッチスクリーンに電気的に接続し、該タッチスクリーン上のジェスチャーを受取り相互に対応する座標パラメーターに転換し、
該パラメーター記憶ユニットは内部に予め対比に用いることができるパラメーター資料集を設置し、
該演算ユニットは該座標処理ユニット及び該パラメーター記憶ユニットに電気的に接続し、該タッチスクリーンにおける第一回接触の位置を開始位置として設定し、該開始位置にジェスチャーの移動方向を対応させ判断準則とし、該座標処理ユニットが受け取る該座標パラメーターと該パラメーター資料集に保存するパラメーターを相互に比較し、符合する該ジェスチャーが対応するコントロール信号を出力し、
該伝送インターフェースは該サーバに電気的に接続し、該演算ユニットが生じるコントロール信号を該サーバに伝送することを特徴とするコントロールモジュール。
【請求項９】
前記コントロールモジュールの設定は前記開始位置を基準とし、かつ第一移動方向と第二移動方向をそれぞれ軸方向の相対方向に延伸し、前記パラメーター記憶ユニットにおいて前記開始位置と該第一移動方向及び該第二移動方向に沿ったジェスチャーが相互に対応するパラメーター資料集を定義することを特徴とする請求項８記載のコントロールモジュール。
【請求項１０】
前記コントロールモジュールの設定は前記開始位置を基準とし、第三移動方向と第四移動方向を対応させ、かつ該第三移動方向と該第四移動方向はそれぞれ軸方向に垂直で相対する方向に延伸し、前記パラメーター記憶ユニットにおいて前記開始位置と該第三移動方向及び該第四移動方向に沿ったジェスチャーが相互に対応するパラメーター資料集を定義することを特徴とする請求項９記載のコントロールモジュール。
【請求項１１】
前記コントロールモジュールの設定は前記開始位置を原点とし、前記第一移動方向は前記開始位置の右方向に延伸し、前記第二移動方向は前記開始位置の左方向に延伸し、前記第三移動方向は前記開始位置の上方に延伸し、及び前記第四移動方向は前記開始位置の下方に延伸し、前記パラメーター記憶ユニット中において前記開始位置と前記第三移動方向及び前記第四移動方向のジェスチャーが相互に対応するパラメーター資料集を定義することを特徴とする請求項１０記載のコントロールモジュール。
【請求項１２】
前記コントロールモジュールの設定は前記開始位置を基準とし、前記第一移動方向、前記第二移動方向、前記第三移動方向及び前記第四移動方向に対応する他に、さらに第五移動方向、第六移動方向、第七移動方向及び第八移動方向にも対応し、該第五移動方向は前記第一移動方向及び前記第三移動方向間に介在し、該第六移動方向は前記第一移動方向及び前記第四移動方向間に介在し、該第七移動方向は前記第二移動方向及び前記第四移動方向間に介在し、しかも該第八移動方向は前記第二移動方向及び前記第三移動方向間に介在し、前記パラメーター記憶ユニット中において前記開始位置と該第五移動方向、該第六移動方向、該第七移動方向及び該第八移動方向のジェスチャーが相互に対応するパラメーター資料集を定義することを特徴とする請求項１０記載のコントロールモジュール。
【請求項１３】
前記コントロールモジュールの設定は前記開始位置を基準とし、前記第一移動方向、前記第二移動方向、前記第三移動方向、前記第四移動方向、前記第五移動方向、前記第六移動方向、前記第七移動方向及び前記第八移動方向の任意の相互に隣り合った二つの移動方向の夾角は30度〜45度間の任一の角度であることを特徴とする請求項１０記載のコントロールモジュール。
【請求項１４】
前記コントロールモジュールの設定は前記開始位置を基準とし、しかも第九移動方向及び第十移動方向を対応させ、該第九移動方向は時計回りで該第十移動方向は逆時計回りで、前記コントロールモジュール中において前記開始位置と該第九移動方向及び該第十移動方向に沿ったジェスチャーが相互に対応するパラメーター資料集を定義することを特徴とする請求項９記載のコントロールモジュール。
【請求項１５】
主にサーバ、タッチスクリーン、コントロールモジュールを含み、
該タッチスクリーンは該サーバに電気的に接続し、
該コントロールモジュールは該サーバ及び該タッチスクリーンに電気的に接続し、該タッチスクリーン上において該開始位置が対応するそれぞれ異なる移動方向のジェスチャーを識別し、それが生じる異なるコントロール信号を該サーバに提供しコントロールに使用し、
該コントロールモジュールは座標処理ユニット、パラメーター記憶ユニット、演算ユニット、伝送インターフェースを具え、
該座標処理ユニットは該タッチスクリーンに電気的に接続し、該タッチスクリーン上のジェスチャーが転換する相互に対応する座標パラメーターを受取り、
該パラメーター記憶ユニットは内部に予め対比可能なパラメーター資料集を設置し、
該演算ユニットは該座標処理ユニット及び該パラメーター記憶ユニットに電気的に接続し、該タッチスクリーンにおける第一回接触位置を開始位置に設定し、該開始位置にジェスチャーの移動方向を対応させ判断の準則とし、該座標処理ユニットが受け取る該座標パラメーターと該パラメーター資料集中に保存するパラメーターを相互に比較し、該ジェスチャーが対応するコントロール信号を出力符合し、
該伝送インターフェースは該サーバに電気的に接続し、該演算ユニットが生じるコントロール信号を該サーバに伝送することを特徴とする電子製品。
【請求項１６】
前記コントロールモジュールは前記開始位置を基準として設定し、しかも第一移動方向と第二移動方向をそれぞれ軸方向に沿って相対方向に延伸し、該パラメーター記憶ユニット中において前記開始位置と該第一移動方向及び該第二移動方向に沿ったジェスチャーを相互に対応するパラメーター資料集を定義することを特徴とする請求項１５記載の電子製品。
【請求項１７】
前記コントロールモジュールの設定は前記開始位置を基準とし、第三移動方向と第四移動方向を対応させ、かつ該第三移動方向と該第四移動方向はそれぞれ軸方向に垂直で相対する方向に延伸し、前記パラメーター記憶ユニットにおいて前記開始位置と該第三移動方向及び該第四移動方向に沿ったジェスチャーが相互に対応するパラメーター資料集を定義することを特徴とする請求項１６記載の電子製品。
【請求項１８】
前記コントロールモジュールの設定は前記開始位置を原点とし、前記第一移動方向は前記開始位置の右方向に延伸し、前記第二移動方向は前記開始位置の左方向に延伸し、前記第三移動方向は前記開始位置の上方に延伸し、及び前記第四移動方向は前記開始位置の下方に延伸することを特徴とする請求項１７記載の電子製品。
【請求項１９】
前記コントロールモジュールの設定は前記開始位置を基準とし、前記第一移動方向、前記第二移動方向、前記第三移動方向及び前記第四移動方向に対応する他に、さらに第五移動方向、第六移動方向、第七移動方向及び第八移動方向にも対応し、該第五移動方向は前記第一移動方向及び前記第三移動方向間に介在し、該第六移動方向は前記第一移動方向及び前記第四移動方向間に介在し、該第七移動方向は前記第二移動方向及び前記第四移動方向間に介在し、しかも該第八移動方向は前記第二移動方向及び前記第三移動方向間に介在し、前記パラメーター記憶ユニット中において前記開始位置と該第五移動方向、該第六移動方向、該第七移動方向及び該第八移動方向のジェスチャーが相互に対応するパラメーター資料集を定義することを特徴とする請求項１７記載の電子製品。
【請求項２０】
前記コントロールモジュールの設定は前記開始位置を基準とし、前記第一移動方向、前記第二移動方向、前記第三移動方向、前記第四移動方向、前記第五移動方向、前記第六移動方向、前記第七移動方向及び前記第八移動方向の任意の相互に隣り合った二つの移動方向の夾角は30度〜45度間の任一の角度であることを特徴とする請求項１９記載の電子製品。
【請求項２１】
前記コントロールモジュールの設定は前記開始位置を基準とし、しかも第九移動方向及び第十移動方向を対応させ、該第九移動方向は時計回りで該第十移動方向は逆時計回りで、前記コントロールモジュール中において前記開始位置と該第九移動方向及び該第十移動方向に沿ったジェスチャーが相互に対応するパラメーター資料集を定義することを特徴とする請求項１５記載の電子製品。
【請求項２２】
前記電子製品はタッチコントロール式リモコンで、しかも該タッチコントロール式リモコン上において前記開始位置に対応するそれぞれ異なる移動方向のジェスチャーを識別し、それが生じるコントロール信号を該サーバに伝送し選択項目の選択、チャンネル増減、音量大小などのコントロール機能に供することを特徴とする請求項１５記載の電子製品。
【請求項２３】
前記タッチスクリーン上は複数の区域に区画し、該サーバに多種のコントロール機能を提供することを特徴とする請求項１５記載のその電子製品。
【発明の詳細な説明】
【技術分野】
【０００１】
本発明は、一種の開始位置及び移動方向により定義される入力方法、コントロールモジュール及びその電子製品の技術分野に属する。特に一種の開始位置及び移動方向により定義され、異なるジェスチャーにより生じる異なるコントロール信号をサーバに提供し、続くコントロール機能に使用する入力方法、コントロールモジュール及びその電子製品に係る。
【背景技術】
【０００２】
公知のタッチスクリーンはタッチポイントをディテクトする物理原理に基づき、およそコンデンサ式、電気抵抗式、電磁式、圧力式、インダクタンス式、弾性表面波(SAW)式、超音波式、光学式などを含む。一般によく見られるものは、電気抵抗式、コンデンサ式のもので、それらは主にノートPC、PDAなどの民生用電子製品に応用されている。その使用方式はスタイラス或いは手指をタッチパネル上で移動させ、文字を手書き、或いはマウスのようにクリック機能を遂行するものである。
【０００３】
図1に示すように、米国特許第6,414,671号に示す一種のタッチスクリーン9は、手指8或いはスタイラスのタッチパネル90上におけるタッチ位置のコンデンサ変化をディテクトすることができる。該手指8がタッチパネル90に接触した瞬間、該タッチパネル90の表面には接触コンデンサが発生する。該タッチパネル90の表面は一センサーマトリクスであるため、該タッチパネル90と該タッチスクリーン9が具えるX方向処理ユニット91、Y方向処理ユニット92及び一演算ユニット93は相互に電気的に接続する。該X方向処理ユニット91及び該Y方向処理ユニット92は該手指8の接触コンデンサの軌跡を継続し追跡することができるため、該演算ユニット93により定位する該手指8位置のXY座標位置パラメーターを定位する。同時に該演算ユニット93はまた、該手指8の触圧の該タッチパネル90における異なる距離の変化を計測し、Z座標パラメーターを確定することができる。さらに、該演算ユニット93はディテクトした該X、Y、Z座標パラメーターを位置移動ユニット94、ジェスチャーユニット95及び伝送インターフェース96に伝送し、該位置移動ユニット94により位置移動量ΔX、ΔYを計算し、その値を該伝送インターフェース96を経由して該サーバ97に伝送し、該サーバ97上のカーソルが必要とする相対位置移動量を提供する。ジェスチャーユニット95は該手指8の触圧方式すなわちタップ(tap)、ダブルタップ(double tap)或いはドラッグ(drag)などのジェスチャー(gesture)動作の判断に用いる。この時、該サーバ97は一般のPC、ノートPC或いはポータブル電子製品などの裝置である。
【発明の開示】
【発明が解決しようとする課題】
【０００４】
公知構造には以下の欠点があった。
すなわち位置移動量ΔX、ΔYの計算及びジェスチャー入力方式の判断は便利ではあるが、この種の方式は主に一般のウインドウズ（登録商標）ソフトにおけるカーソルが必要とする相対位置移動量に使用されるもので、その応用範囲にはかなりの限界がある。
本発明は上記構造の問題点を解決した開始位置及び移動方向により定義される入力方法、コントロールモジュール及びその電子製品を提供するものである。
【課題を解決するための手段】
【０００５】
上記課題を解決するため、本発明は下記の開始位置及び移動方向により定義される入力方法、コントロールモジュール及びその電子製品を提供する。
それは主に、タッチスクリーンにより多様なコントロール機能を提供し、その用途をより広げることができ、一種の開始位置及び移動方向により定義され、かつ異なるジェスチャーが生じる異なるコントロール信号をサーバに提供し後続のコントロール機能に使用する入力方法で、一種の開始位置及び移動方向により定義されるジェスチャーを異なるコントロール信号に転換可能で、各式サーバに後続のコントロール機能の使用に提供するコントロールモジュールで、一種の開始位置及び移動方向により定義され、かつ異なるジェスチャーを多用途のコントロール機能とする電子製品で、
本発明の入力方法はコントロールモジュールによりタッチスクリーン上の異なるジェスチャーを識別し、以って異なるジェスチャーが生じる異なるコントロール信号をサーバに提供し、後続のコントロール機能に使用するもので、該入力方法は該タッチスクリーンにおける第一回接触位置を開始位置として設定し、該開始位置にそれぞれ異なる移動方向のジェスチャーを組合せ、該コントロールモジュール中において対比可能なパラメーター資料集を定義し、続いて該タッチスクリーン上に符合するジェスチャーが生じているかいないかをディテクトし、該開始位置及び相互に対応する移動方向に符合する移動のジェスチャーと該コントロールモジュール中に定義する該パラメーター資料集を相互に比較し、該比較結果を該サーバに出力し、
本発明のコントロールモジュールはタッチスクリーン及び一サーバに電気的に接続し、該タッチスクリーン上において該開始位置に対応するそれぞれ異なる移動方向のジェスチャーを識別し、それが生じる異なるコントロール信号を該サーバに提供しコントロールに使用し、該コントロールモジュールは該タッチスクリーンに電気的に接続する座標処理ユニット、内部に対比可能なパラメーター資料集を設置するパラメーター記憶ユニット、該座標処理ユニット及び該パラメーター記憶ユニットに電気的に接続する演算ユニット、及び該サーバに電気的に接続する伝送インターフェースを具え、
該座標処理ユニットは該タッチスクリーン上のジェスチャーが転換される相互に対応する座標パラメーターを受取り、該演算ユニットは該タッチスクリーンにおける第一回接触位置を開始位置として設定し、該開始位置はジェスチャーの移動方向に対応し判断の準則とし、該座標処理ユニットが受け取る該座標パラメーターと該パラメーター資料集中に保存するパラメーターを相互に比較し、該ジェスチャーが対応するコントロール信号を出力符合し、しかも該伝送インターフェースは該演算ユニットが生じるコントロール信号を該サーバに伝送し、
本発明の電子製品はサーバ、該サーバに電気的に接続するタッチスクリーン、及び該サーバ及び該タッチスクリーンに電気的に接続するコントロールモジュールを含み、
該コントロールモジュールは該タッチスクリーンの座標処理ユニット、内部に対比可能なパラメーター資料集を予め設定するパラメーター記憶ユニット、該座標処理ユニット及び該パラメーター記憶ユニットに電気的に接続する演算ユニット、該サーバに電気的に接続する伝送インターフェースを具え、
該座標処理ユニットは該タッチスクリーン上のジェスチャーが転換する相互に対応する座標パラメーターを受取り、
該演算ユニットは該タッチスクリーンにおける第一回接触位置を開始位置に設定し、該開始位置にジェスチャーの移動方向を対応させ判断の準則とし、該座標処理ユニットが受け取る該座標パラメーターと該パラメーター資料集中に保存するパラメーターを相互に比較し、該ジェスチャーが対応するコントロール信号を出力符合し、
かつ該伝送インターフェースは該演算ユニットが生じるコントロール信号を該サーバに伝送することを特徴とする開始位置及び移動方向により定義される入力方法、コントロールモジュール及びその電子製品である。
【発明の効果】
【０００６】
上記のように、本発明は公知の入力方式が一般のウインドウズ（登録商標）ソフト上のカーソルが必要とする相対位置移動量を提供し使用するものであったためその応用範囲が狭かったという欠点を解決することができる。すなわち、本発明の入力方法、コントロールモジュール及びその電子製品はジェスチャーの開始位置及び移動方向により定義され、異なるコントロール信号を出力し、かつタッチスクリーンは複数の区域に区画され、各区域はすべて本発明の入力方法を適用されるため、タッチスクリーンに一層多様なコントロール機能を提供することができる、その応用範囲を拡大することができる。
【発明を実施するための最良の形態】
【０００７】
図2に示すように、本発明の入力方法の第一較実施例では、主に第一回タッチスクリーン1の位置設定は開始位置P1で、第一移動方向11と第二移動方向12に対応し、該第一移動方向11と該第二移動方向12はそれぞれ該開始位置P1を基準とし軸方向に沿って相対する方向に延伸する。
ここで予め説明しておかなければならないのは、本実施例及びその他の各実施例中において、手指或いは物体の該タッチスクリーン1表面における第一回接触位置を開始位置とみなし、また該タッチスクリーン1表面の任意の位置とすることができ、すべてその開始位置P1とみなすという点である。そのため、上記開始位置P1の定義に符合するなら、該開始位置P1は該第一移動方向11に向って移動し、或いは該開始位置P1は該第二移動方向12に向って移動するが、共に有効なコントロール動作であるとみなす。
【０００８】
次に図3に示すように、本発明の入力方法の第二実施例では、第一回の接触時に計測された開始位置P2を基準とし、第一実施例の第一移動方向11と第二移動方向12に対応する他に、さらに第三移動方向13と第四移動方向14に対応する。該第一移動方向11と該第二移動方向12はそれぞれ該開始位置P2を基準とし、軸方向の相対する方向に延伸し、該第三移動方向13と該第四移動方向14もまた該開始位置P2を基準とし、しかもそれぞれ軸方向に垂直に相対する方向に延伸する。
手指或いは物体による、該タッチスクリーン2表面の任意の位置における第一回接触はすべてその開始位置P2とみなし、符合するなら該開始位置P2から第一移動方向11に向って移動し、該開始位置P2より第二移動方向12に向って移動し、該開始位置P2より第三移動方向13に向って移動し、或いは該開始位置P2より第四移動方向14に向って移動する。これらはすべて有效なコントロール動作であるとみなす。
【０００９】
図4に示すように、本発明の入力方法の第三実施例では、第一回接触時に計測された開始位置P3を基準とする。該第一移動方向11、該第二移動方向12、該第三移動方向13及び該第四移動方向14に対応する他に、さらに第五移動方向15、第六移動方向16、第七移動方向17及び第八移動方向18に対応する。
該第五移動方向15は該第一移動方向11及び該第三移動方向13間に介在し、該第六移動方向16は該第一移動方向11及び該第四移動方向14間に介在し、該第七移動方向17は該第二移動12方向及び該第四移動方向14間に介在し、しかも該第八移動方向18は該第二移動方向12及び該第三移動方向13間に介在する。実際の試験を通して、上記の任意の隣り合った二つの移動方向の夾角は30度〜45度間の任一の角度であることが確かめられており、何れも十分に良好なコントロール效果を具える。
手指或いは物体による該タッチスクリーン3表面の任一の場所における第一回接触はすべてその開始位置P3ＴＰみなす。もし符合するなら、該開始位置P3より該第一移動方向11に向って移動し、該開始位置P3より該第二移動方向12に向って移動し、該開始位置P3より該第三移動方向13に向って移動し、或いは該開始位置P3より該第四移動方向14に向って移動し、及び該開始位置P3より該第五移動方向15に向って移動し、該開始位置P3より該第六移動方向16に向って移動し、該開始位置P3より該第七移動方向17に向って移動し、或いは該開始位置P3より該第八移動方向18に向って移動する。これらはすべて有效なコントロール動作とみなす。
【００１０】
図5に示すように、本発明の入力方法の第四実施例では、第一回接触時に計測された開始位置P4を基準とする。第九移動方向19及び第十移動方向20に対応し、該第九移動方向19は時計回りに移動し、該第十移動方向20は逆時計回りに移動する。
手指或いは物体によるタッチスクリーン4表面の任一の場所における第一回接触はすべてその開始位置P4とみなす。もし符合するなら、該開始位置P4より該第九移動方向19に向って移動し、或いは該開始位置P4より該第十移動方向20に向って移動する。これらはすべて有效なコントロール動作とみなす。
【００１１】
図6、7に示すように、第一実施例、第二実施例及び第三実施例を結合する入力方法を電子製品5に応用する例では、該電子製品5のタッチスクリーン51上において複数の区域に区分する。該区域はそれぞれ第一区域511、第二区域512及び第三区域513で、この外に該電子製品5内部にはコントロールモジュール52を設置し、それらはそれぞれタッチスクリーン51及びサーバ53に電気的に接続する。該コントロールモジュール52は該タッチスクリーン51上において該第一区域511、該第二区域512及び該第三区域513がそれぞれ生じる開始位置P1’、P2’、P3’をは識別し、異なる移動方向のジェスチャーに対応し、それが生じる異なるコントロール信号502を該サーバ53のコントロール使用に提供する。該開始位置P1’、P2’、P3’に対応する異なる移動方向のジェスチャーは、前記図2、3、4に示す該開始位置P1、P2、P3に対応する異なる移動方向のジェスチャーに関連する説明を参照されたい。ここで再度の説明は行わない。
本実施例においては、該電子製品5はタッチコントロール式リモコンで、しかもそのタッチスクリーン51上の異なる開始位置が対応する異なる移動方向のジェスチャーを識別することができ、それが生じるコントロール信号502を該サーバ53にチャンネルの増減及び音量の大小などの多種の媒体コントロール項目の選択項目としてリモコン機能を提供することができる。該タッチスクリーン51上において区画する該第一区域511、該第二区域512及び該第三区域51における、該開始位置P1’、P2’、P3’に対応する異なる移動方向のジェスチャーが、対応し生じるコントロール項目及びその輸出コントロール信号502はそれぞれ表1が示す。
【表１】
2005316745.tif 000003
該電子製品5が含むコントロールモジュール52は該タッチスクリーン51に電気的に接続する座標処理ユニット521、内部に比較に供することができるパラメーター資料集を予め設置するパラメーター記憶ユニット522、該座標処理ユニット521及び該パラメーター記憶ユニット522に電気的に接続する演算ユニット523、及び該サーバ53に電気的に接続する伝送インターフェース524を具える。該座標処理ユニット521は該タッチスクリーン51上のジェスチャーが転換する対応する座標パラメーター501を受取り、該演算ユニット523は該タッチスクリーン5 1における第一回接触位置に応じて、開始位置を設定し、該開始位置をジェスチャーの移動方向に対応し判断の基準とする。該座標処理ユニット521が受け取った座標パラメーターとパラメーター資料集中に保存するパラメーターを相互に比較し、該ジェスチャーに対応するコントロール信号502を出力する。しかも、該伝送インターフェース524は該演算ユニット523が生じるコントロール信号502を該サーバ53に伝送し使用に供する。
【００１２】
図8、9に示すように、第二実施例及び第四実施例の入力方法を結合する別の電子製品6の例では、この電子製品6はタッチコントロール式のリモコンである。該電子製品6の構成部品はタッチスクリーン61を含み、コントロールモジュール62とサーバ63の接続方式及び関連機能作用は上記の電子製品5に類似し、しかも、該電子製品6のタッチスクリーン61上にも複数の区域が区画される。相違点は該タッチスクリーン61上の該区域はそれぞれ第四区域611及び第五区域612で、それが具えるコントロールモジュール62は該第四区域611及び該第五区域612においてそれぞれ開始位置P2”、P4”を生じ、異なる移動方向のジェスチャーに対応し、それが生じる異なるコントロール信号602を該サーバ63に提供し、後続のコントロールに使用する点である。該開始位置P2”、P4”が対応する異なる移動方向のジェスチャーは前記図3、5に示す該開始位置P2、P4に対応する異なる移動方向のジェスチャーに関する説明を参照されたい。ここでは再度の説明は行わない。
該タッチスクリーン61上に区画する該第四区域611及び該第五区域612がそれぞれ生じる開始位置P2”、P4” に対応する異なる移動方向のジェスチャーが、対応し生じるコントロール項目及びその輸出コントロール信号602はそれぞれ表2が示す。
【表２】
2005316745.tif 000004
該電子製品5、6はタッチコントロール式のリモコンである他に、その他のタッチコントロール式入力方法をコントロール機能として必要とする電子裝置とすることができる。それらもまた予めモジュール化したコントロールモジュール52、62によりタッチスクリーンに接続し、実際に応用に供することができるコントロール信号を出力し、異なるサーバに組合せ、多種のコントロール機能を実現することができる。
【図面の簡単な説明】
【００１３】
【図１】公知のタッチスクリーンが具える構成パーツ及びその作用の指示図である。
【図２】本発明入力方法の第一実施例で、第一回接触の位置P1を基準とし、第一移動方向と第二移動方向に対応することを説明する指示図である。
【図３】本発明入力方法の第二実施例で、第一回接触の位置P2を基準とし、図2の第一移動方向と第二移動方向に対応する他に、第三移動方向と第四移動方向に対応することを説明する指示図である。
【図４】本発明入力方法の第三実施例で、第一回接触の位置P3を基準とし、図3の第一移動方向、第二移動方向、第三移動方向、第四移動方向に対応する他に、第五移動方向、第六移動方向、第七移動方向及び第八移動方向に対応することを説明する指示図である。
【図５】本発明入力方法の第四実施例で、第一回接触の位置P4を基準とし、第九移動方向及び第十移動方向に対応し、かつ第九移動方向は時計回りで、第十移動方向は逆時計回りであることを説明する指示図である。
【図６】第一実施例、第二実施例及び第三実施例の入力方法を電子製品に結合することを説明する指示図である。
【図７】図6の電子製品構成部品がタッチスクリーン、コントロールモジュール及びサーバを含み、かつ該電子製品のタッチスクリーン上には第一区域、第二区域及び第三区域が区画されることを説明する回路ブロックチャートである。
【図８】第二実施例及び第四実施例の入力方法が別の電子製品に結合することを説明する指示図である。
【図９】図8の電子製品構成部品がタッチスクリーン、コントロールモジュール及びサーバを含み、かつ該電子製品のタッチスクリーン上には第四区域、第五区域が区画されることを説明する回路ブロックチャートである。
【符号の説明】
【００１４】
1~4 タッチスクリーン
11 第一移動方向
12 第二移動方向
13 第三移動方向
14 第四移動方向
15 第五移動方向
16 第六移動方向
17 第七移動方向
18 第八移動方向
19 第九移動方向
20 第十移動方向
5、6 電子製品
501 位置パラメーター
502 コントロール信号
51、61 タッチスクリーン
511 第一区域
512 第二区域
513 第三区域
52、62 コントロールモジュール
521 座標処理ユニット
522 パラメーター記憶ユニット
523 演算ユニット
524 伝送インターフェース
53、63 サーバ
611 第五区域
612 第六区域
P1~P4, P1’~P3’, P2”,P4” 開始位置
【図１】
2005316745.tif 000005
【図２】
2005316745.tif 000006
【図３】
2005316745.tif 000007
【図４】
2005316745.tif 000008
【図５】
2005316745.tif 000009
【図６】
2005316745.tif 000010
【図７】
2005316745.tif 000011
【図８】
2005316745.tif 000012
【図９】
2005316745.tif 000013